(57)【特許請求の範囲】
【請求項１】
四角枠状をなすフレームに複数の回転軸を平行に支持するとともに、回転軸間に環状のスクリーンを垂直状態に張設し、前記回転軸を回転させてスクリーンを周回させるためのモーターを設け、
前記スクリーンの周回域内に散水装置を設け、スクリーンに対してその裏面側から散水するようにしたことを特徴とする散水スクリーン装置。
【請求項２】
四角枠状をなすフレームに２枚のスクリーンを間隔をおいて垂直状態で平行に張設するとともに、そのスクリーン間に散水装置を設け、前記２枚のスクリーンに対してその裏面側から散水するようにしたことを特徴とする散水スクリーン装置。
【請求項３】
前記散水装置を支持するための複数の支持具を前記フレームに設け、
前記散水装置を前記支持具に係合させることにより、前記散水装置の高さ位置を変更可能としたことを特徴とする請求項１または２に記載の散水スクリーン装置。
【請求項４】
前記散水装置の散水方向を変更するための方向変更手段を設けたことを特徴とする請求項１〜３のうちのいずれか一項に記載の散水スクリーン装置。
【発明の詳細な説明】
【技術分野】
【０００１】
この発明は、屋外や屋内においてスクリーンに対して散水を行い、水の蒸発にともなう気化熱や輻射冷熱により屋外や屋内の空間を冷却するようにした散水スクリーン装置に関するものである。
【背景技術】
【０００２】
従来、屋外の空間を冷却するための技術としては、例えば、水を微細な霧状にして空中に噴霧するミスト散布が知られている。また、多孔質の舗装ブロック、その下部の砂層あるいは路盤等に水を保持させ、その水を舗装ブロック材料の毛細管作用により、舗装ブロックの表面にしみ出させて、打ち水効果を得るようにした舗装路も知られている。
【０００３】
しかしながら、ミスト散布では、風の影響を受けやすく、風によってミストが拡散して冷却効果が著しく低下する。また、打ち水効果を狙った舗装路においては、舗装ブロックの表面にしみ出した水が、その気化熱により専ら熱容量の大きな舗装ブロックの温度を低減させるのみある。従って、前記の両従来技術ともに、屋外の空間を効果的に冷却することはできなかった。
【０００４】
これに対し、例えば特許文献１及び特許文献２に開示されるような冷却用のカーテンまたは網状遮蔽体も、従来から提案されている。特許文献１に記載の従来構成においては、屋外に吊り下げたカーテンの上部に容器からタオルよりなる帯を介して容器から水が供給されて、カーテンが湿潤される。そして、カーテンから水が蒸発されて、その気化熱により周囲空気が冷やされるようになっている。
【０００５】
また、特許文献２に記載の従来構成においては、ブラインドやシャッターとして用いられる網状遮蔽体の上部に、槽から水が供給されることにより、網状遮蔽体が湿潤される。そして、網状遮蔽体から水が蒸発されて、その気化熱により周囲空気が冷やされるようになっている。
【先行技術文献】
【特許文献】
【０００６】
【特許文献１】実用新案登録第３０３４８２０号公報
【特許文献２】特開２００８−２５１４２号公報
【発明の概要】
【発明が解決しようとする課題】
【０００７】
ところが、前記両特許文献１に記載の従来構成では、前記のようにカーテンに対してその上部から水が毛細管現象によって供給されることにより、カーテンが湿潤されるようになっている。このため、広い面積のカーテンの全面を、湿潤状態に適切に維持することは困難である。つまり、暑い時期にはカーテンの表面から水が活発に蒸発するので、毛細管現象による供給方式ではカーテン等に保持される水が不足状態になりやすい。その結果、特許文献１に記載の従来構成では、高い冷却能力を得ることは困難である。しかも、この特許文献１の構成においては、カーテンに水を供給するための容器，帯，ホース等が外部に露出しているため、見苦しく良好な外観を得ることは難しい。
【０００８】
また、前記特許文献２に記載の従来構成においては、網状遮蔽体に対してその上端から水を供給するのみであるため、供給された水が網状遮蔽体に接することなく、落下してしまうおそれもあり、高い冷却効率を得ることができないばかりでなく、前記特許文献１と同様に水の供給部が外部に露出するため、供給パイプの水供給孔等が見えてしまい、外観が良好ではない。
【０００９】
この発明は、このような従来の技術に存在する問題点に着目してなされたものである。その目的とするところは、高い冷却能力を有するとともに、装置全体の外観を良好にすることができる散水スクリーン装置を提供することにある。
【課題を解決するための手段】
【００１０】
上記の目的を達成するために、この発明では、四角枠状をなすフレームに複数の回転軸を平行に支持するとともに、回転軸間に環状のスクリーンを垂直状態に張設し、前記回転軸を回転させてスクリーンを周回させるためのモーターを設け、前記スクリーンの周回域内に散水装置を設け、スクリーンに対してその裏面側から散水するようにしたことを特徴としている。
【００１１】
従って、この発明においては、モーターによって回転軸が回転されることにより、回転軸間に張設されたスクリーンが周回移動される。それとともに、散水装置によりスクリーンに対してその裏面側から散水が行われて、スクリーンの全面が湿潤される。そして、スクリーンの周回にともない、スクリーンに接触する空気により水が気化されて、空気から気化熱が奪われる。よって、広い面積のスクリーンであっても、その全面に水を適切に保持させることができて、有効な冷却を行うことができる。しかも、この発明においては、散水装置がスクリーンに対してその裏面側から散水するように、スクリーンの周回域内に配置されている。このため、散水装置が外部に露出することはなく、散水スクリーン装置全体をコンパクトに構成することができるとともに、装置の外観を良好に保つことができる。
【００１２】
また、別の発明では、四角枠状をなすフレームに２枚のスクリーンを間隔をおいて垂直状態で平行に張設するとともに、そのスクリーン間に散水装置を設け、前記２枚のスクリーンに対してその裏面側から散水するようにしたことを特徴としている。
【００１３】
従って、この発明においては、散水装置により張設状態の複数枚のスクリーンに対してその裏面側から散水が行われ、各スクリーンの全面が湿潤される。よって、広い面積のスクリーンに水を適切に保持させることができて、スクリーン全体から水を効率良く気化させることができ、空気から気化熱を有効に奪うことが可能となる。しかも、この発明においては、間隔をおいて平行に張設された複数枚のスクリーン間に散水装置が配置されている。このため、散水スクリーン装置全体をコンパクトに構成することができるとともに、装置の外観を良好に保つことができる。加えて、スクリーンを移動させるための機構が不要であるため、構成が簡単になる。
【００１４】
さらに、前記の構成において、前記散水装置を支持するための複数の支持具を前記フレームに設け、前記散水装置を前記支持具に係合させることにより、前記散水装置の高さ位置を変更可能とするとよい。
さらに、前記の構成において、前記散水装置の散水方向を変更するための方向変更手段を設けるとよい。
【発明の効果】
【００１５】
以上のように、この発明によれば、高い冷却能力を発揮するとともに、装置の外観を良好にすることができるという効果を発揮する。
【図面の簡単な説明】
【００１６】
【図１】第１実施形態の散水スクリーン装置を示す斜視図。
【図２】図１の散水スクリーン装置の要部縦断面図。
【図３】図２の３−３線における部分拡大断面図。
【図４】図２の４−４線における部分拡大断面図。
【図５】図２の散水スクリーン装置における散水装置の支持構造を拡大して示す部分断面図。
【図６】図５の散水装置における導水管の一端側の支持構造を拡大して示す要部分解斜視図。
【図７】図５の散水装置における導水管の他端側の支持構造を拡大して示す要部分解斜視図。
【図８】第２実施形態の散水スクリーン装置を示す断面図。
【図９】第３実施形態の散水スクリーン装置を示す正面図。
【発明を実施するための形態】
【００１７】
（第１実施形態）
以下に、この発明を具体化した散水スクリーン装置の第１実施形態を、図１〜図７に従って説明する。
【００１８】
図１に示すように、この実施形態の散水スクリーン装置は、フレーム２１を備えている。このフレーム２１は、左右一対の平行に延びる支柱２２，２３と、両支柱２２，２３の上端部間に架設された上枠部２４と、両支柱２２，２３の下端部間に架設された下枠部２５とにより、全体として四角枠状をなすように構成されている。
【００１９】
図４に示すように、前記両支柱２２，２３は断面Ｃ型状のステンレス鋼材により構成され、その開口部を外側にした状態で配置されている。支柱２２，２３の外側開口部には、カバー２６が複数のネジ２７により着脱可能に取り付けられている。図３に示すように、上枠部２４は断面Ｃ型状のステンレス鋼材により構成され、その開口部を下側にした状態で配置されている。下枠部２５は断面Ｃ型状のステンレス鋼材により構成され、その開口部を上側にした状態で配置されている。そして、この下枠部２５により、後述する散水装置４４から散水された水を受けるための樋部材が構成されている。
【００２０】
前記フレーム２１の下部には、箱状の支持台２８が着脱可能に固定されている。すなわち、両支柱２２，２３の下端部には、支持台２８の上面に固定可能な取付板部２２ａ，２３ａが溶接固定されている。そして、この支柱２２，２３の取付板部２２ａ，２３ａが複数のボルト２９により支持台２８の上面に取り付けられることにより、フレーム２１の下部に支持台２８が着脱可能に固定されている。
【００２１】
前記上枠部２４内において両支柱２２，２３の上端部間には、円筒状の上部回転軸３０が回転可能に、かつ水平面内に位置するように支持されている。下枠部２５内において両支柱２２，２３の下端部間には、円筒状の下部回転軸３１が回転可能に、かつ上部回転軸３０と平行に延びるように支持されている。両回転軸３０，３１間には、環状のスクリーン３２が張設されている。このスクリーン３２は経糸と緯糸とよりなる布材により構成され、その表面には宣伝広告等の表示が施されている。前記スクリーン３２の経糸と緯糸との間には、０．３〜３ｍｍ程度の細隙が形成されている。
【００２２】
前記左側の支柱２２の上端内側面には、モーター３３がそのほぼ全体を上部回転軸３０の内部に収容した状態で支持されている。そして、このモーター３３によって上部回転軸３０が回転されることにより、スクリーン３２が両回転軸３０，３１間で周回される。両回転軸３０，３１間において両支柱２２，２３の内側面には、それぞれ一対の断面Ｌ字状の案内板５４が上下方向へ平行に延びるように固定されている。そして、これらの案内板５４がスクリーン３２の左右両端縁の裏面側（内面側）に係合することにより、スクリーン３２の周回移動が案内される。スクリーン３２は、両回転軸３０，３１の両端フランジ部５５によって左右の幅端部が位置決めされ、スクリーン３２の左右位置が規制される。
【００２３】
図１及び図２に示すように、前記左側の支柱２２の外側面には、操作パネル３４が設けられている。この操作パネル３４上には、装置の運転を自動と手動とに切り換えるための切換つまみ３５、運転の開始ボタン３６、運転の停止ボタン３７、スクリーン３２を正転させるための正転ボタン３８、スクリーン３２を逆転させるための逆転ボタン３９、及び装置の運転を非常停止させるための非常停止ボタン４０が設けられている。
【００２４】
前記左側の支柱２２の内部には、モーター３３及び操作パネル３４に対する給電線４１が収容されている。支持台２８の左側面にはコネクタ４２が設けられ、給電線４１の下端部が支持台２８内においてコネクタ４２に接続されている。そして、このコネクタ４２に延長ケーブル４３が接続されることにより、給電線４１を介してモーター３３及び操作パネル３４に給電されるようになっている。
【００２５】
図１〜図３に示すように、前記スクリーン３２の周回域内において、両支柱２２，２３間には散水装置４４が支持されている。この散水装置４４は、両支柱２２，２３間に架設されたステンレス鋼材よりなる四角パイプ状の導水管４５と、その導水管４５の外周面に長さ方向へ所定間隔おきに突設された複数のミスト噴射ノズル４６とを備えている。右側の支柱２３の内部には、散水装置４４の導水管４５に水を供給するための給水ホース４７が収容されている。前記支持台２８の右側面には接続口４８が設けられ、給水ホース４７の下端部が支持台２８内において接続口４８に接続されている。また、この接続口４８には、図示しない一般上水道から延びる外部給水ホース４９が接続される。
【００２６】
そして、前記右側の支柱２３内において給水ホース４７に接続された図示しない電磁バルブが開放されることにより、散水装置４４の導水管４５内に水が供給される。このため、各ミスト噴射ノズル４６からスクリーン３２の前面の裏面側に対して水がミスト状に散布される。そして、この水が気化されることにより、空気から気化熱が奪われて、周囲の空気が冷却される。また、スクリーン３２の表面が冷熱輻射面になり、周囲に対して輻射冷熱効果が与えられる。
【００２７】
前記フレーム２１の下枠部２５の左端下部には、排水部としての排水ホース５０がジョイント５１を介して接続されている。前記支持台２８の左側面には接続口５２が設けられ、排水ホース５０の下端部が支持台２８内において接続口５２に接続されている。また、この接続口５２には、図示しない排水路等に延びる排水延長ホース５３が接続される。そして、前記散水装置４４からスクリーン３２に散水されて、そのスクリーン３２の表面あるいは裏面に沿って流下する水が、樋部材としての下枠部２５内に回収された後、排水ホース５０を介して排出される。
【００２８】
次に、前記散水装置４４の支持構造について詳細に説明する。
図５に示すように、前記散水装置４４において、四角パイプ状をなす導水管４５の左端面には、その左端面を閉鎖するための閉鎖部６１が一体に形成されている。閉鎖部６１の外面には支持軸６２が固定され、その支持軸６２の先端外周には一対の溝部６３が形成されている。この溝部６３は、導水管４５におけるミスト噴射ノズル４６の取付面４５ａの幅方向（図５において紙面と直交する方向）に沿って延びるように形成されている。導水管４５の右端面には、その右端面を閉鎖するように取付板６４が溶接固定されている。取付板６４には一対の取付脚部６４ａが折り曲げ形成され、その取付脚部６４ａにはネジ挿通孔６５が形成されている。取付板６４の中央部には接続口６６が貫設され、その接続口６６には前記給水ホース４７が接続されている。
【００２９】
図２及び図５に示すように、前記フレーム２１における左側の支柱２２の内側面には、ほぼアングル状をなす複数の第１支持具６７が各一対のネジ６８により、上下方向に所定の間隔をおいて取り付けられている。図６に示すように、各第１支持具６７の上壁には、前記導水管４５上の支持軸６２の先端部を挿入するための平面四角形状の挿入孔６９が形成されている。各第１支持具６７の側壁には、支持軸６２を挿通支持するための側面円形状の支持孔７０が形成されている。挿入孔６９と支持孔７０との間には、支持孔７０の外径よりも開口幅の狭い連通溝７１が形成されている。
【００３０】
そして、前記第１支持具６７に対する支持軸６２の装着時には、図５に鎖線で示すとともに、図６にも示すように、第１支持具６７の上方位置において、支持軸６２の一対の溝部６３が前後になった状態に配置される。このとき、導水管４５におけるミスト噴射ノズル４６の取付面４５ａが前向きまたは後向きになった状態に配置される。この状態で、支持軸６２の先端部が第１支持具６７の上方から挿入孔６９に挿入されると、支持軸６２上の溝部６３が第１支持具６７の連通溝７１に係合することにより、支持軸６２の先端部が第１支持具６７の挿入孔６９から支持孔７０内に移動される。
【００３１】
その後、図６に矢印で示すように、支持軸６２及び導水管４５がそれらの軸線方向に沿って左方に移動されるとともに、その軸線を中心に前方側または後方側に９０度回転される。このようにすれば、図５に実線で示すように、支持軸６２上の溝部６３が第１支持具６７の連通溝７１に対して、軸線方向及び回転方向に離間して配置され、支持軸６２が第１支持具６７の支持孔７０内に抜け止めされた状態で保持される。その結果、導水管４５の左端部が左側の支柱２２に対して装着支持される。
【００３２】
この場合、前記支持軸６２及び導水管４５の９０度回転時において、その回転方向が前方側または後方側に選択されることにより、図５に示すように、導水管４５上のミスト噴射ノズル４６が下向きまたは上向き状態のいずれかに配置されて、ミスト噴射ノズル４６からの散水方向が決定される。つまり、前記第１支持具６７に対する支持軸６２の回転支持構成により、散水方向を変更するための方向変更手段７２が構成されている。
【００３３】
図２及び図５に示すように、前記フレーム２１における右側の支柱２３の内側面には、それぞれアングル材よりなり、２個１組の複数組の第２支持具７３が各一対のネジ７４により、上下方向に所定の間隔をおいた状態で取り付けられている。この場合、第２支持具７３の組の配列間隔が前記第１支持具６７の配列間隔と同一になるとともに、第２支持具７３組の上下中間位置が第１支持具６７の位置と対応するように設定されている。図７に示すように、各第２支持具７３の中央部の側壁には、ネジ孔７５が形成されている。
【００３４】
そして、導水管４５の左端側の支持軸６２が第１支持具６７の支持孔７０に挿通支持された状態で、導水管４５の右端側の取付板６４が上下に隣接位置する１組の上下の第２支持具７３に跨った状態で固定される。すなわち、取付板６４の両取付脚部６４ａ上のネジ挿通孔６５から各第２支持具７３のネジ孔７５にネジ７６が螺合されることにより、取付板６４が両第２支持具７３に対して固定される。その結果、導水管４５の右端部が右側の支柱２３に対して装着支持され、導水管４５が第１，第２支柱２２，２３間に架設固定される。
【００３５】
この場合、図５に実線及び鎖線で示すように、両支柱２２，２３の内側面に配列された複数の第１及び第２支持具６７，７３のうちで、任意の高さの支持具６７，７３を選択して、導水管４５の両端の支持軸６２及び取付板６４をそれらの支持具６７，７３に装着することにより、導水管４５の高さ位置を変更することができる。つまり、複数の第１及び第２支持具６７，７３と、それらの第１及び第２支持具６７，７３に対する支持軸６２及び取付板６４の装着構成により、散水装置４４の導水管４５の高さ位置を変更するための高さ変更手段７７が構成されている。
【００３６】
図３に示すように、前記フレーム２１における下枠部２５の開口両側縁には、一対の清掃手段としての清掃ブラシ７８がブラシホルダ７９を介して取り付けられている。各清掃ブラシ７８は、スクリーン３２の表面全体に接触するように、スクリーン３２の幅方向の全長にわたって延長配置されている。そして、モーター３３によりスクリーン３２が両回転軸３０，３１間で周回移動されるとき、各清掃ブラシ７８によってスクリーン３２の表面が清掃されるようになっている。
【００３７】
次に、前記のように構成された散水スクリーン装置の動作を説明する。
さて、この散水スクリーン装置が屋外等に設置された状態で、操作パネル３４上の運転開始ボタン３６がオンされると、モーター３３により上部回転軸３０が回転されて、両回転軸３０，３１間に張設されたスクリーン３２が周回移動される。それとともに、散水装置４４のミスト噴射ノズル４６からスクリーン３２の裏面側に水がミスト状に散布されて、スクリーン３２の全面が湿潤される。そして、スクリーン３２の周回にともない、スクリーン３２に接触する空気によって水が気化されて、その空気から気化熱が奪われることにより、空気が冷却される。それとともに、スクリーン３２の表面が冷熱輻射面になり、スクリーン３２からその周囲に対して輻射冷熱が与えられる。
【００３８】
この場合、前記散水装置４４のミスト噴射ノズル４６からスクリーン３２に散布されて、そのスクリーン３２の面に沿って流下する水は、樋部材としての下枠部２５内に回収された後、排水ホース５０を介して外部に排出される。よって、スクリーン３２から流下する水が散水スクリーン装置の設置個所の周囲に溜まったり、広まったりして、歩行等に支障をきたすことを回避できる。
【００３９】
そして、この第１実施形態においては、以下の効果を得ることができる。
（１）  この実施形態においては、モーター３３による回転軸３０の回転にともなって、スクリーン３２が回転軸３０，３１間で周回移動されながら、散水装置４４からスクリーン３２に対して散水されるようになっている。このため、広い面積のスクリーン３２であっても、その全面に水を適切に保持させることができる。よって、スクリーン３２の全面から水を効率良く気化させることができて、空気から気化熱を有効に奪うとともに、周囲に対して輻射冷熱効果を与えることが可能になり、冷却能力を向上させることができる。
【００４０】
（２）  この実施形態においては、散水装置４４がスクリーン３２の周回域内に配置され、スクリーン３２に対してその裏面側から散水するように構成されている。このため、散水装置４４が外部に露出することを回避することができて、散水スクリーン装置全体をコンパクトに構成することができるとともに、散水スクリーン装置の外観を良好に保つことができる。
【００４１】
（３）  この実施形態においては、スクリーン３２を案内するために左右の支柱２２，２３に設けられた案内板５４がスクリーン３２の幅端部と支柱２２，２３との間を閉鎖して、隙間が形成されないようにしている。従って、散水装置４４を垣間見ることさえできなくなり、散水スクリーン装置の外観をさらに良好にできる。
【００４２】
（４）  この実施形態においては、散水装置４４の散水方向を変更するための方向変更手段７２が設けられている。このため、必要に応じて、例えば上水道の水圧の高低に応じて、あるいはミスト噴射ノズル４６のサイズ，形状，吐出水量等の性能に応じて散水装置４４の散水方向を下向き状態または上向き状態に容易に変更して、冷却度合いを調節することができる。
【００４３】
（５）  この実施形態においては、散水装置４４の高さ位置を変更するための高さ変更手段７７が設けられている。このため、前記と同様に上水道の水圧の高低等に応じて、あるいはミスト噴射ノズル４６のサイズ，形状，吐出水量等の性能に応じて散水装置４４の上下位置を変更して、冷却度合いを調節することができる。
【００４４】
（６）  散水装置４４の導水管４５が上下の枠部２４，２５間において左右の支柱２２，２３間に架設固定されている。従って、導水管４５がフレーム２１の補強部品を兼用する。このため、部品点数を増やすことなく、フレーム２１を補強でき、強風等の外力を受けたとしても、フレーム２１の歪みや変形等を防止できる。
【００４５】
（第２実施形態）
次に、この発明を具体化した散水スクリーン装置の第２実施形態を、前記第１実施形態と異なる部分を中心に説明する。
【００４６】
この第２実施形態においては、図８に示すように、２枚のスクリーン３２が四角枠状のスクリーン枠８１内にそれぞれ張設された状態で、フレーム２１の上下両枠部２４，２５間において両支柱２２，２３間に相互間隔をおいて平行に固定状態で配置されている。両スクリーン３２間において、両支柱２２，２３間には散水装置４４の導水管４５が架設され、その導水管４５上に配列された複数のミスト噴射ノズル４６から、両スクリーン３２の裏面側に水がミスト状に散布されるようになっている。
【００４７】
従って、この第２実施形態においては、第１実施形態と同様な効果を得ることができるとともに、以下の効果がある。
（７）  この実施形態においては、スクリーン３２を周回させる必要がないため、モーター３３や回転軸３０，３１等、スクリーン３２を周回させるための構成が不要になり、部品点数を少なくして、散水スクリーン装置の構造を簡素化できる。
【００４８】
（８）  この実施形態においては、スクリーン３２を周回させる必要がないため、そのスクリーン３２として安価な材質のものを使用できる。
（第３実施形態）
次に、この発明を具体化した散水スクリーン装置の第３実施形態を、前記第１実施形態と異なる部分を中心に説明する。
【００４９】
さて、この第３実施形態においては、図９に示すように、左右の支柱２２，２３間に上下の枠部２４，２５を設けるとともに、上下の回転軸３０，３１間に環状のスクリーン３２を張設した散水スクリーン装置が、屋内の天井部８２に吊り下げ状態で支持されている。すなわち、前記第１実施形態のフレーム２１の下部から支持台２８が取り外されるとともに、フレーム２１が上下反転された状態で、両支柱２２，２３の取付板部２２ａ，２３ａが複数のボルト２９によって天井部８２に取り付けられることにより、散水スクリーン装置が天井部８２からの吊り下げ状態に支持されている。
【００５０】
この第３実施形態の場合、散水スクリーン装置が屋内の天井部８２に吊り下げ状態で支持されていることを考慮して、散水装置４４として、ミスト噴射ノズル４６から、高圧空気を利用して微細なミスト（以下、ドライ型ミストという）が噴射される二流体噴射装置が用いられている。ミスト噴射ノズル４６の指向方向は必要に応じて選択される。ドライ型ミスト噴射方式においては、ミスト噴射ノズル４６からスクリーン３２に対して大量の水が噴射されることはなく、水がスクリーン３２の表面に沿って流下することを防ぐことができる。その結果、スクリーン３２は湿潤して冷却作用を果たすものの、前記第１実施形態のような排水構造が不要になる。
【００５１】
従って、この第３実施形態においては、前記第１実施形態に記載の効果とほぼ同様な効果を得ることができるとともに、以下の効果を得ることができる。
（９）  この実施形態においては、スクリーン３２を天井部８２に吊り下げ支持したため、屋内において歩行者の歩行等の邪魔にならないように、散水スクリーン装置を設置できる。
【００５２】
（１０）  この実施形態においては、前記のように、スクリーン３２を天井部８２に吊り下げ支持したため、スクリーン３２に広告等の表示を施せば、高い表示効果を得ることができる。
【００５３】
（１１）  この実施形態においては、スクリーン３２を高い位置に配置できるため、冷気を自然に降下させて漂わせることができるため、有効な冷却効果を得ることができる。
（変更例）
なお、この実施形態は、次のように変更して具体化することも可能である。
【００５４】
・  前記各実施形態において、フレーム２１の支柱２２，２３間に散水装置４４の導水管４５を複数本架設し、各導水管４５上のノズル４６からスクリーン３２に対して散水するように構成すること。このようにすれば、スクリーン３２に対する散水量を増やせるだけではなく、フレーム２１をさらに頑丈にすることができる。
【００５５】
・  前記支柱２２，２３の上下両端に固定されたバーに環状のスクリーン３２を掛け渡すこと。この場合、スクリーン３２は周回しないため、スクリーン３２を周回可能に支持するためのモーター３３等が不要になる。また、このように構成した場合は、スクリーン３２が周回されないため、散水装置４４の導水管４５，つまりミスト噴射ノズル４６をモーターにより上下動されるようにすることが好ましい。
【００５６】
・  図８に示す前記第２実施形態において、フレーム２１の支柱２２，２３間に散水装置４４の導水管４５を上下方向へ移動可能に支持するとともに、その導水管４５の上下移動を駆動するためのモーター等の駆動装置を設けること。従って、このように構成された場合は、ミスト噴射ノズル４６が昇降される。
【００５７】
・  前記第１及び第３実施形態において、一対の回転軸３０，３１を縦向きにして垂直軸線を中心に回転可能に配置し、それらの回転軸３０，３１間にスクリーン３２を横方向へ周回するように張設すること。
【００５８】
・  前記各実施形態において、図２に２点鎖線で示すように、スクリーン３２の内側または外側にＬＥＤ（発光ダイオード）等よりなる防水機能を有する照明装置９０を設け、装置を屋内に設置した場合や、装置を屋外に設置した場合の夜間等に、スクリーン３２をその内外から照明するように構成すること。
【００５９】
・  前記各実施形態において、スクリーン３２を白色で無地の布地から構成し、そのスクリーン３２に対して外部光源であるプロジェクタ等で宣伝広告等の画像を投影して、スクリーン３２上に各種の画像を描くことができるようにすること。
【００６０】
・  前記各実施形態において、スクリーン３２の内側または外側に防水機能を有する送風装置を設け、散水状態のスクリーン３２上から周囲に冷風が流出するように構成すること。例えば、図２に２点鎖線で示すように、支柱２２，２３間に導水管４５と同様に支持バー９１を設けるとともに、その支持バー９１に複数のモーター９２を支持し、そのモーター９２の出力軸にファン９３を取り付ける。このようにすれば、冷却効果をさらに高めることができる。
【００６１】
・  前記各実施形態において、フレーム２１等に音響発生装置を内蔵または付設し、その音響発生装置から水流の音や鳥の鳴き声等の環境音を発生させて、スクリーン３２の周回等にともなう機械音を打ち消すようにしたり、涼感を醸し出す効果音を発生させたりすること。
【００６２】
・  前記各実施形態において、フレーム２１等に温度センサ、湿度センサ、風速センサ等のセンサを付設し、そのセンサの検出に基づいて散水スクリーン装置の運転及び停止やスクリーン３２の周回速度、あるいは散水量を制御するように構成すること。
【００６３】
・  図９に示す第３実施形態において、スクリーン３２の周回域内に多孔質セラミック等の多孔質材を設けて、余分なドライ型ミストが吸収されるように構成し、ミストによって形成された水滴が滴下されないようにすること。
【００６４】
・  第３実施形態において、フレーム２１の下部に、樋等の水回収装置を設け、ドライ型ミストではない通常のミスト散布のように大量の散水に対応できるように構成すること。
【００６５】
・  図２の下部及び図３の上部に２点鎖線で示すように、スクリーン３２の周回域の内部及び外部あるいは内部または外部に、制菌あるいは滅菌のための紫外線ランプ９４を設けること。このようにすれば、スクリーン３２及びその周囲の衛生管理に有効である。
【００６６】
・  ミスト噴射ノズル４６の噴射方向変更を、モーター等のアクチュエータ駆動によって行われるように構成すること。このようにすれば、ミスト噴射ノズル４６の噴射方向を小刻みあるいは無段階に調節できる。
【００６７】
（別の技術的思想）
さらに、上記実施形態により把握される請求項以外の技術的思想について、以下にそれらの効果とともに記載する。
【００６８】
（Ａ）  前記散水装置をミスト噴射装置により構成したことを特徴とする請求項１〜４のうちのいずれか一項に記載の散水スクリーン装置。この構成によれば、スクリーンに対して水をミスト状にした状態で均一に散布することができる。
【００６９】
（Ｂ）  前記ミスト噴射装置を二流体噴射装置により構成したことを特徴とする前記技術的思想（Ａ）項に記載の散水スクリーン装置。この構成によれば、大量の水を使用することなく、スクリーンに対してドライ型ミストを効果的に散布することができる。
【００７０】
（Ｃ）  前記スクリーンから流下した水を受けるための樋部材を設けたことを特徴とする請求項１〜４、前記技術的思想（Ａ）項、（Ｂ）項のうちのいずれか一項に記載の散水スクリーン装置。この構成によれば、スクリーンから流下した水を樋部材内に回収することができる。
【００７１】
（Ｄ）  下部の回転軸を前記樋部材内に支持したことを特徴とする前記技術的思想（Ｃ）項に記載の散水スクリーン装置。この構成によれば、スクリーンの下端を樋部材内に位置させて、スクリーンから流下した水を樋部材内に外部に流れることなく回収することができる。
【００７２】
（Ｅ）  前記樋部材にスクリーンの表面を清掃する清掃手段を設けたことを特徴とする前記技術的思想（Ｃ）項または（Ｄ）項に記載の散水スクリーン装置。この構成によれば、スクリーンの周回移動時に、清掃手段によりスクリーンの表面を清掃することができる。
【００７３】
（Ｅ）  スクリーンの幅端部をガイドするための案内板を支柱に設けたことを特徴とする請求項１〜４，前記技術的思想（Ａ）〜（Ｄ）項のうちのいずれか一項に記載の散水スクリーン装置。このように構成すれば、スクリーンと支柱との間に隙間が生じることを防止でき、さらに外観を向上できる。
【符号の説明】
【００７４】
２１…フレーム、２２…左側の支柱、２３…右側の支柱、２４…上枠部、２５…樋部材としての下枠部、３０…上部回転軸、３１…下部回転軸、３２…スクリーン、３３…モーター、４４…散水装置、４５…導水管、４６…ミスト噴射ノズル、６２…支持軸、６４…取付板、６７…第１支持具、７２…方向変更手段、７３…第２支持具、７７…高さ変更手段、７８…清掃手段としての清掃ブラシ。
【図１】
0005624293.tif 000002
【図２】
0005624293.tif 000003
【図３】
0005624293.tif 000004
【図４】
0005624293.tif 000005
【図５】
0005624293.tif 000006
【図６】
0005624293.tif 000007
【図７】
0005624293.tif 000008
【図８】
0005624293.tif 000009
【図９】
0005624293.tif 000010